(57)【特許請求の範囲】
【請求項１】
ノズル及び該ノズルを通る空気流を生成する手段を備える送風機組立体において、前記ノズルは、内部通路と、該内部通路から前記空気流を受け取る口部と、該口部に隣接して配置されその上に前記空気流を向けるように口部が配置されるコアンダ面と、を備え、前記口部及び前記コアンダ面は軸線の回りに延び、
前記コアンダ面は、ディフューザ部を備え、前記軸線と前記ディフューザ部との間に規定される角度は、前記軸線の周りで変化することを特徴とする送風機組立体。
【請求項２】
前記コアンダ面は、前記軸線の周りで連続している、請求項１に記載の送風機組立体。
【請求項３】
前記角度は、前記コアンダ面に沿って、少なくとも１つの最大値と少なくとも１つの最小値との間で変化する、請求項１又は２に記載の送風機組立体。
【請求項４】
前記角度は、前記コアンダ面に沿って、複数の最大値と複数の最小値との間で変動する請求項１から３のいずれかに記載の送風機組立体。
【請求項５】
前記最大値は、前記最小値の少なくとも２倍である、請求項３又は４に記載の送風機組立体。
【請求項６】
前記最小値は、−１５度から１５度の範囲である、請求項３から５のいずれかに記載の送風機組立体。
【請求項７】
前記最大値は、２０度から３５度の範囲である、請求項３から６のいずれかに記載の送風機組立体。
【請求項８】
前記角度は、前記コアンダ面の上端及び下端の少なくとも一方で、又はその近くで最小値である、請求項３から７のいずれかに記載の送風機組立体。
【請求項９】
前記軸線と前記コアンダ面の前記ディフューザ部との間に規定される角度は、前記軸線の周りで連続的に変化する、請求項１から８のいずれかに記載の送風機組立体。
【請求項１０】
前記コアンダ面はｎ回回転対称であり、ｎは２以上の整数である、請求項１から９のいずれかに記載の送風機組立体。
【請求項１１】
前記内部通路は前記軸線の周りに延び、前記軸線を通りかつこれと平行な平面における前記内部通路の断面積は、前記軸線の周りで実質的に一定である、請求項１から１０のいずれかに記載の送風機組立体。
【請求項１２】
前記平面における前記内部通路の断面プロフィールは、前記軸線の周りで変化する、請求項１１に記載の送風機組立体。
【請求項１３】
前記平面における前記内部通路の前記断面プロフィールは、前記軸線の周りで連続的に変化する、請求項１２に記載の送風機組立体。
【請求項１４】
前記軸線と前記ノズルの前端部との間の半径方向距離は、前記軸線の回りで変化する、請求項１から１３のいずれかに記載の送風機組立体。
【請求項１５】
前記ノズルの前記前端部と前記軸線との間の前記半径方向距離は、前記軸線の周りで、前記軸線と前記コアンダ面のディフューザ部との間に規定される前記角度の関数として変動する請求項１４に記載の送風機組立体。
【請求項１６】
前記ノズルは、前記口部から噴出される空気流によって前記送風機組立体の外側の空気が通って引き込まれる開口部を形成する、請求項１から１５に記載の送風機組立体。
【請求項１７】
前記開口部は、前記軸線に実質的に直交する平面に配置される、請求項１６に記載の送風機組立体。
【請求項１８】
前記ノズルは、前記空気流を生成する手段を収容する基部に取り付けられる、請求項１から１７のいずれかに記載の送風機組立体。
【請求項１９】
前記口部は、前記軸線の周りで連続する、請求項１から１８のいずれかに記載の送風機組立体。
【請求項２０】
前記口部は、実質的に円形形状である、請求項１９に記載の送風機組立体。
【発明の詳細な説明】
【技術分野】
【０００１】
本発明は、送風機組立体に関する。特に、限定されるものではないが、本発明は、机上型、タワー型、又は台座型送風機のような床上又は卓上送風機組立体に関する。
【背景技術】
【０００２】
従来の家庭用送風機は、通常、軸線の周りで回転するように取り付けられたブレードセット又はベーンセットと、ブレードセットを回転させて空気流を発生させる駆動装置とを備える。空気流の移動及び循環が「風冷」又は微風を引き起こし、結果的に、ユーザは、対流及び蒸発により熱が放散する際に冷却効果を体感する。一般的に、ブレードは、ケージ内に配置されており、ユーザが送風機の使用中に回転ブレードに接触するのを防止しながら、空気流がハウジングを通過することが可能になっている。
【０００３】
国際公開第２００９／０３０８７９号には、送風機組立体から空気を放出するためにケージブレードを使用しない送風機組立体が開示されている。送風機組立体は、代わりに、一次空気流を基部に引き込むモータ駆動式インペラを収容する円筒形基部と、該基部に連結され一次空気流が通って送風機から噴出される環状口部を含む環状ノズルとを備える。ノズルは、送風機組立体の局部的環境の空気が口部から噴出される一次空気流によって引き込まれる開口部を規定し、一次空気流を増幅する。ノズルは、コアンダ面を含み、口部はコアンダ面上に一次空気流を向けるように構成されている。コアンダ面は、開口部の中心軸の周りを対称に延び、送風機組立体が発生する空気流は、円筒形又は切頭円錐形プロフィールを有する環状噴流の形態である。
【先行技術文献】
【特許文献】
【０００４】
【特許文献１】国際公開第２００９／０３０８７９号
【発明の概要】
【課題を解決するための手段】
【０００５】
第１の態様において、本発明は、ノズル及び該ノズルを通る空気流を生成する手段を備える送風機組立体を提供し、ノズルは内部通路、該内部通路から空気流を受け取る口部、及び該口部に隣接して配置されその上に空気流を向けるように口部が配置されるコアンダ面を備え、口部及びコアンダ面は軸線の回りに延び、コアンダ面は、ディフューザ部を備え、軸線とディフューザ部との間に規定される角度は、軸線の周りで変化する。
【０００６】
送風機組立体が発生する空気流のプロフィールは、特に、軸線とコアンダ面のディフューザ部との間に規定される角度に依存する。軸線とコアンダ面のディフューザ部との間に規定される角度が軸線の周りで変化するので、送風機組立体が発生する空気流は、送風機組立体のノズルの外面の寸法又は形状を大幅に変更することなく、非円筒形又は非切頭円錐形のプロフィールを有することができる。
【０００７】
好ましくは、コアンダ面は、軸線の周りで連続している。好ましくは、角度は、コアンダ面に沿って、すなわち軸線の周りにおいて、少なくとも１つの最大値と少なくとも１つの最小値との間で変化する。好ましくは、角度は、コアンダ面に沿って、複数の最大値と複数の最小値との間で変化する。好ましい実施形態において、角度は、コアンダ面に沿って２つの最大値と２つの最小値との間で変化するが、この数は、２より大きくすることができる。最大値及び最小値は、好ましくは、軸線の周りにおいて一定の間隔で離間される。最小値は−１５度から１５度の範囲とすることができ、最大値は２０度から３５度の範囲とすることができる。好ましい実施形態において、最大値は最小値の少なくとも２倍である。
【０００８】
好ましくは、角度は、コアンダ面の上端及び下端の少なくとも一方又はその近くで最小値である。最小値を上端及び下端の一方又は両方に設定すると、送風機組立体が発生する空気流プロフィールの上端及び下端は「平ら」になり、結果的に、空気流は、円形プロフィールではなく長円形プロフィールとすることができる。また、空気流プロフィールは、好ましくは、最大値をコアンダ面の各側端又はその近く設定することで広げることができる。好ましくは、軸線とコアンダ面のディフューザ部との間に規定される角度は、軸線の周りで変化する。
【０００９】
好ましくは、軸線に沿って測定したノズルの奥行きは、軸線の周りで変化する。この特徴は、送風機組立体から噴出される空気流プロフィールを修正するためのコアンダ面の形状変化とは別に設けることができる。第２の態様において、本発明は、ノズル及び該ノズルを通る空気流を生成する手段を備える送風機組立体を提供し、ノズルは内部通路、該内部通路から空気流を受け取る口部、及び該口部に隣接して配置されその上に空気流を向けるように口部が配置されるコアンダ面を備えた送風機組立体において、口部及びコアンダ面は軸線の回りに延び、軸線に沿って測定したノズルの奥行きは、軸線の周りで変化する。
【００１０】
ノズルは、好ましくは、軸線の周りに延びるループ状である。
【００１１】
好ましくは、ノズルの奥行きは、軸線の周りにおいて、少なくとも１つの最大値と少なくとも１つの最小値との間で変化する。好ましくは、ノズルの奥行きは、軸線の周りにおいて、複数の最大値と複数の最小値との間で変化する。好ましい実施形態において、奥行きは、２つの最大値と２つの最小値との間で変化するが、この数は２よりも大きくすることができる。最大値は、好ましくは、最小値の少なくとも１．２５倍以上であり、より好ましくは、最小値の少なくとも１．５倍以上である。好ましくは、最小値は、５０ｍｍから１５０ｍｍの範囲である。奥行きは、好ましくは、面の上端及び下端の少なくも一方で又はその近くで最大値であるが、奥行きは、面の各側縁又はその近くで最小値である。好ましくは、奥行きは、軸線の周りで最大値と最小値との間で変化する。
【００１２】
好ましくは、ノズル又はコアンダ面は、ｎ回回転対称であり、ｎは２又はそれ以上の整数である。ｎの値を３又はそれ以上に増やすと、軸線と直交する平面において、波形又は曲がりくねったプロフィールをもつノズルがもたらされる。代替的に、ノズル又はコアンダ面は非対称とすることができる。
【００１３】
好ましくは、内部通路は軸線の周りに延び、軸線を通りかつこれと平行な平面における内部通路の断面積は、軸線の周りで実質的に一定である。その結果、空気流は、口部の長さに沿って、結果的に軸線の周りでほぼ均一に噴出することができる。軸線の周りにおけるノズルの奥行き及びコアンダ面のディフューザ部と軸線との間に規定される角度の一方又は両方に照らして、この平面における内部通路の断面プロフィールは、軸線の周りで変化して、内部通路の断面プロフィールの均一性を維持するようになっている。
【００１４】
内部通路の断面プロフィールは、好ましくは、ノズルの前端部に向かって先細りになるように形作ることができる。従って、ノズルの半径方向厚さは、ノズルの前端部に向かって減少することができ、その結果、軸線を通りかつこれに平行な任意の所定の平面で、ノズルの半径方向厚さは、最大値と最小値との間で変化する。また、ノズルの半径方向厚さの最大値は、軸線の周りで変化することができる。
【００１５】
また、ノズルの前端部と軸線との間の半径方向距離は、軸線の回りで変化することができる。ノズルの前端部と軸線との間の半径方向距離は、軸線の周りで、ノズルの奥行きの関数及び／又は軸線とコアンダ面のディフューザ部との間に規定される角度の関数として変化することができる。
【００１６】
口部は、好ましくは、軸線の周りで連続しており、実質的に円形形状とすることができる。好ましくは、口部は、１つ又はそれ以上の出口を備え、口部の出口におけるノズルの対向する表面の間の間隔は、好ましくは、０．５ｍｍから５ｍｍの範囲である。
【００１７】
好ましくは、ノズルは、口部から噴出される空気流によって、送風機組立体の外側の空気が通って引き込まれる開口部を規定する。開口部は、好ましくは、軸線と実質的と直交する平面に配置されている。内部通路は、好ましくは、開口部の回りに連続的に延びるので、開口部は内部通路により取り囲まれた、周囲を囲まれた開口部である。口部及び表面は、好ましくは、開口部の回りに延び、より好ましくは、開口部の回りに連続して延びる。
【００１８】
ノズルは、好ましくは、空気流を生成する手段を収容する基部に取り付けられている。好ましい送風機組立体において、ノズルを通る空気流を生成する手段は、モータにより駆動されるインペラを備える。
【００１９】
前述したように、その上に空気流を向けるように口部が配置される表面は、コアンダ面である。コアンダ面は、隣接した出口オリフィスから流出する空気流がその上でコアンダ効果を発揮する公知の形式の表面である。流体はコアンダ面上に接近して、ほぼコアンダ面に「くっついて」又は「沿って」流れる傾向がある。コアンダ効果は、文献で十分に証明された同伴方法であり、一次空気流はコアンダ面の上に向けられる。コアンダ面の機能及びコアンダ面上の流体の作用に関する記載は、Ｒｅｂａ著「Ｓｃｉｅｎｔｉｆｉｃ  Ａｍｅｒｉｃａｎ」、２１４巻，１９６６年６月、８４から９２ページの文献に見出すことができる。コアンダ面を使用することで、口部から噴出される空気によって、送風機組立体の外側から増量した空気が開口部を通って引き込まれる。
【００２０】
好ましい実施形態において、送風機組立体のノズルを介して空気流が生成される。以下の記載では、この空気流は一次空気流と呼ぶ。一次空気流は、ノズルの口部から噴出され、好ましくは、コアンダ面の上を通る。一次空気流は、ノズルを取り囲む空気を同伴し、これは一次空気流及び同伴空気をユーザに供給する空気増幅部として作用する。同伴空気は本明細書では二次空気流と呼ぶ。二次空気流は、口部を取り囲む室内空間、領域、又は外部環境から、及び置換により送風機組立体の周りの他の領域から引き込まれ、主としてノズルが規定する開口部を通って流れる。コアンダ面の上に向けられ、同伴された二次空気流と合体される一次空気流は、ノズルが規定する開口部から前方へ放出又は噴出される総体空気流と同じである。
【００２１】
第３の態様において、本発明は、ノズル及び該ノズルを通る空気流を生成する手段を備える送風機組立体を提供し、ノズルは内部通路、該内部通路から空気流を受け取る口部、及び該口部に隣接して配置されその上に空気流を向けるように口部が配置されるコアンダ面を備え、内部通路及び口部は、軸線の回りに延び、ノズルは、軸線を通りかつこれと平行な平面において、最大値と最小値との間で変化する半径方向厚さを有し、ノズルの半径方向厚さの最大値は、軸線の周りで変化する。
【００２２】
第４の態様において、本発明は、ノズル及び該ノズルを通る空気流を生成する手段を備える送風機組立体を提供し、ノズルは内部通路、該内部通路から空気流を受け取る口部、及び該口部に隣接して配置されその上に空気流を向けるように口部が配置されるコアンダ面を備え、内部通路及び口部は、軸線の回りに延び、軸線を通りかつこれと平行な平面における内部通路の断面積は、軸線の周りで実質的に一定であり、平面での内部通路のプロフィールは、軸の周りで変化する。
【００２３】
第５の態様において、本発明は、ノズル及び該ノズルを通る空気流を生成する手段を備える送風機組立体を提供し、ノズルは内部通路及び内部通路から空気流を受け取りかつ空気流をノズルから噴出する少なくとも１つの空気出口を備え、内部通路は、軸線の周りに延び、少なくとも１つの空気出口から噴出される空気流によって送風機組立体の外側の空気がそこを通って引き込まれる開口部を規定し、軸線に沿って測定したノズルの奥行きは軸線の周りで変化する。
【００２４】
第６の態様において、本発明は、ノズル及び該ノズルを通る空気流を生成する手段を備える送風機組立体を提供し、ノズルは内部通路及び内部通路から空気流を受け取りかつ空気流をノズルから噴出する少なくとも１つの空気出口を備え、内部通路は、軸線の周りに延びて、少なくとも１つの空気出口から噴出される空気流によって送風機組立体の外側の空気がそこを通って引き込まれる開口部を規定し、ノズルは、軸線を通りかつこれと平行な平面において、最大値と最小値との間で変化する半径方向厚さを有し、ノズルの半径方向厚さの最大値は、軸線の周りで変化する。
【００２５】
第７の態様において、本発明は、ノズル及び該ノズルを通る空気流を生成する手段を備える送風機組立体を提供し、ノズルは内部通路及び内部通路から空気流を受け取りかつ空気流をノズルから噴出する少なくとも１つの空気出口を備え、内部通路は、軸線の周りに延びて、少なくとも１つの空気出口から噴出される空気流によって送風機組立体の外側の空気がそこを通って引き込まれる開口部を規定し、軸線を通りかつこれと平行な平面における内部通路の断面積は、軸線の周りで実質的に一定であり、該平面における内部通路のプロフィールは、軸の周りで変化する。
【００２６】
本発明の第１の態様に関連して前述した特徴は、本発明の第２から第７の態様の各々にも同様に適用可能であり、逆も同じである。
以下に、例示的に本発明の好ましい特徴を添付の図面を参照して説明する。
【図面の簡単な説明】
【００２７】
【図１】送風機の上方から見た正面斜視図である。
【図２】送風機の左側面図である。
【図３】送風機の上面図である。
【図４】送風機の正面図である。
【図５】図４の線Ａ―Ａに沿った送風機の側面断面図である。
【図６】図４の線Ｂ―Ｂに沿った送風機の空気出口の断面図である。
【図７】図６と同様の断面図であるが、ノズルの種々のパラメータが示されている。
【発明を実施するための形態】
【００２８】
図１から図４は、送風機組立体１０の外観図である。送風機組立体１０は、一次空気流が送風機組立体１０に流入する空気入口１４を有する本体１２と、該本体１２に取り付けられる環状ケーシングの形態のノズル１６とを含み、ノズルは、送風機組立体１０から一次空気流を噴出する口部１８を備える。
【００２９】
本体１２は、実質的に円筒形の下側本体セクション２２上に取り付けられ、実質的に円筒形の主本体セクション２０を備える。主本体セクション２０及び下側本体セクション２２は、好ましくは、実質的に同じ外径を有し、上側の主本体セクション２０の外面は下側本体セクション２２の外面と実質的に面一になっている。本実施形態では、本体１２は、１００ｍｍから３００ｍｍの範囲の高さ、及び１００ｍｍから２００ｍｍの範囲の直径を有する。
【００３０】
主本体セクション２０は、一次空気流がそこを通って送風機組立体１０に流入する空気入口１４を備える。本実施形態では、空気入口１４は、主本体セクション２０に形成された開口アレイを備える。代替的に、空気入口１４は、主本体セクション２０に形成された窓内に取り付けられる１つ又はそれ以上のグリル又はメッシュを備えることができる。主本体セクション２０は上端で開放されており（図示のように）、一次空気流が本体１２から排出される空気出口２３を提供するようになっている。
【００３１】
主本体セクション２０は、下側本体セクション２２に対して傾くことができ、一次空気流が送風機組立体１０から噴出する方向を調節するようになっている。例えば、下側本体セクション２２の上面及び主本体セクション２０の下面は、主本体セクション２０の下側本体セクション２２から持ち上がるのを防止しながら、主本体セクション２０が下側本体セクション２２に対して移動することを可能にする、相互連結機構を備えることができる。例えば、下側本体セクション２２及び主本体セクション２０は、連動Ｌ字形部材を備えることができる。
【００３２】
下側本体セクション２２は、送風機組立体１０のユーザインタフェースを備える。ユーザインタフェースは、ユーザが送風機組立体１０の種々の機能を制御することを可能にする複数のユーザ操作可能ボタン２４、２６、ダイアル２８、並びにボタン２４、２６及びダイアル２８に接続されたユーザインタフェース制御回路３０を備える。下側本体セクション２２は、送風機組立体１０が配置される表面と係合する基部３２上に取り付けられる。
【００３３】
図５は、送風機組立体の本体の断面図である。下側本体セクション２２は、ユーザインタフェース制御回路３０に接続される、全体を符号３４で示す主制御回路を収容する。ユーザインタフェース制御回路３０は、ボタン２４、２６、及びダイアル２８の操作に応答して適切な信号を主制御回路３４に伝達し、送風機組立体１０の様々な動作を制御するように構成されている。
【００３４】
また、下側本体セクション２２は、下側本体セクション２２を基部３２に対して周期的に往復させる、全体を符号３６で示す機構を収容する。往復機構３６の動作は、ボタン２６のユーザ操作に応答して主制御回路３４により制御される。基部３２に対する下側本体セクション２２の各往復サイクルの範囲は、好ましくは、６０度から１２０度であり、本実施形態では約８０度である。本実施形態では、往復機構３６は、毎分約３回から５回の往復サイクルを実行するように構成されている。送風機組立体１０に電力を供給する主電源ケーブル３８は、基部３２に形成された開口を通って延びる。ケーブル３８は、主電力供給源への接続プラグ（図示せず）に接続されている。
【００３５】
主本体セクション２０は、一次空気流を空気入口１４から本体１２に引き込むインペラ４０を収容する。好ましくは、インペラ４０は、混成流インペラの形態である。インペラ４０は、モータ４４から外向きに延びる回転軸４２に連結されている。本実施形態では、モータ４４は、ダイアル２８のユーザ操作に応答して主制御回路３４により速度が可変とされたＤＣブラシレスモータである。モータ４４の最大速度は、好ましくは、５，０００ｒｐｍから１０，０００ｒｐｍの範囲にある。モータ４４は、下側部分４８に連結された上側部分４６を備えるモータバケットに収容されている。モータバケットの上側部分４６は、らせん状ブレードを有する固定ディスクの形態のディフューザ５０を備える。
【００３６】
モータバケットは、略切頭円錐状のインペラハウジング５２内に配置され、これに取り付けられている。次に、インペラハウジング５２は、基部１２の主本体セクション２０内に配置されてこれに連結された複数の角度的に離間した支持体５４、本実施例では３つの支持体に取り付けられる。インペラ４０及びインペラハウジング５２は、インペラ４０がインペラハウジング５２の内面に接近するが接触しないように形作られている。実質的に環状の入口部材５６は、インペラハウジング５２の底部に連結され、一次空気流をインペラハウジング５２に案内するようになっている。電気ケーブル５８は、主制御回路３４から、本体１２の主本体セクション２０及び下側本体セクション２２、並びにインペラハウジング５２及びモータバケットに形成された開口を通って、モータ４４へ延びている。
【００３７】
好ましくは、本体１２は、該本体１２からのノイズ放出を低減する消音発泡体を備える。本実施形態では、本体１２の主本体セクション２０は、空気入口１４の下に配置される第１の発泡部材６０と、モータバケット内に配置される第２の環状発泡部材６２とを備える。
【００３８】
図１から図４に戻り、ノズル１６は環状形状を有し、中心軸Ｘの周りを延びて開口部７０を形成するようになっている。口部１８は、ノズル１６の後方に向けて配置され、一次空気流が開口部７０を通って送風機組立体１０の前方に噴出するように構成されている。口部１８は開口部７０を取り囲んでいる。本実施例では、ノズル１６は、中心軸Ｘに対して略直交する平面に配置される略円形の開口部７０を規定する。ノズル１６の内側の環状表面は、口部１８に隣接して配置されるコアンダ面７２を備え、口部１８は、送風機組立体１０から噴出された空気がコアンダ面に向くように配置される。コアンダ面７２は、中心軸Ｘから離れるようにテーパ付けされるディフューザ部７４を備える。
【００３９】
ノズル１６は、環状の後部ケーシングセクション７８に連結され、この周りに延びる環状の前部ケーシングセクション７６を備える。ノズル１６の環状セクション７６、７８は、中心軸Ｘの周りに延びる。これらのセクションの各々は、複数の連結部品から形成することができるが、本実施形態では、前部ケーシングセクション７６及び後部ケーシングセクション７８の各々は、単一の成形部品から形成されている。後部ケーシングセクション７８は、本体１２の主本体セクション２０の開放した上端に連結される基部８０を備え、基部は、本体１２から一次空気流を受け入れる開放した下端を有する。
【００４０】
ケーシングセクション７６、７８の各々は、外側部分と該外側部分に連結される内側部分とを備える。図５から図７を参照すると、組立時、後部ケーシングセクション７８の外側部分の前端部８２は、前部ケーシングセクション７６の外側部分の後部に設けられたスロット８４に挿入される。前端部８２及びスロット８４の各々は、略円筒形状である。ケーシングセクション７６、７８は、スロット８４に導入された接着剤を使用して結合することができる。前部ケーシングセクション７６の内側部分及び外側部分は、ノズル１６の前端部８６で接合されている。図４に示すように、ノズル１６の前端部８６は、軸線Ｘの周りで実質的に一定の厚さを有する。
【００４１】
前部ケーシングセクション７６及び後部ケーシングセクション７８は協働して、一次空気流を口部８へ送る内部通路８８を形成する。内部通路８８は、軸線Ｘの周りに延び、前部ケーシングセクション７６の内面９０及び後部ケーシングセクション７８の内面９２により境界付けされる。前部ケーシングセクション７６の基部８０は、一次空気流をノズル１６の内部通路８８へ送るように形作られている。
【００４２】
口部１８は、後部ケーシングセクション７８の内側部分の内面９２と前部ケーシングセクション７６の内側部分の外面９４のそれぞれの部分を重ねるか又は向かい合わせることにより形成される。口部１８は、好ましくは、環状スロットの形態の空気出口を備える。スロットは、好ましくは、形状が略円形であり、好ましくは、０．５ｍｍから５ｍｍの範囲の比較的一定の幅を有する。本実施例において、空気出口の幅は約１ｍｍである。スペーサは口部１８の周りに間隔を置いて配置することができ、前部ケーシングセクション７６及び後部ケーシングセクション７８のオーバーラップ部が離間するようにして、口部１８の空気出口の幅を制限するようになっている。これらのスペーサは、前部ケーシングセクション７６又は後部ケーシングセクション７８の何れかと一体化することができる。口部１８は、一次空気流を前部ケーシングセクション７６の外面９４上に向けるように形作られている。前述したように、前部ケーシングセクション７６の外面９４はコアンダ面７２を備え、口部１８は、送風機組立体から噴出される空気流をコアンダ面上に向けるように配置されている。コアンダ面７２は環状なので、軸線Ｘの周りで連続している。コアンダ面７２は、軸線Ｘの周りに延びる長さ、軸線Ｘに沿って延びる奥行き、及び軸線Ｘと直交する方向での半径方向厚さを有すると考えることができる。
【００４３】
コアンダ面７２は、ノズル１６の前端部８６に向かって軸線Ｘから離れるようにテーパ付けされたディフューザ部７４を備える。特に図６及び図７を参照すると、コアンダ面７２のディフューザ部７４と軸線Ｘとの間に規定される角度θは、軸線Ｘの周りで変化する。本実施例では、角度θは、軸線の周りで、従ってコアンダ面７２の長さに沿って、最大値θMAXと最小値θMINとの間で変化する。本実施例において、角度θは、２つの最大値θMAXと２つの最小値θMINとを備える。最大値θMAXは、軸線Ｘの周りで約１８０度離れ、最小値θMINは同様に軸線Ｘの周りで約１８０度離れており、最大値θMAXは各最小値θMINの間の中ほどに設定されている。コアンダ面７２のディフューザ部７４と軸線Ｘとの間に規定される角度θは、軸線Ｘの周りで連続的に変化するので、コアンダ面７２は２回回転対称である。
【００４４】
最小値θMINは、好ましくは、−１５度から１５度の範囲であり、最大値θMAXは、好ましくは、２０度から３５度の範囲である。本実施例において、最小値θMINは約１０度であり、最大値θMAXは約２８度である。本実施例において、角度θは、コアンダ面７２の上端及び下端で、又はその近くで最小値θMINである。最大値θMAXは最小値θMINから約９０度離れているので、角度θは、コアンダ面７２の各側端において、又はその近くで最大値θMAXである。
【００４５】
軸線Ｘを通りかつこれと平行な平面における内部通路８８の断面積は、軸線Ｘの周りで実質的に一定であり、一次空気流は、軸線Ｘの周りで実質的に一定の割合で噴出される。図６及び図７は、図４に示すこのような２つの平面Ｐ１及び平面Ｐ２における内部通路８８の断面プロフィールを例示する。平面Ｐ１及び平面Ｐ２は実質的に直交する。平面Ｐ１において角度θは最小値θMINであり、平面Ｐ２において角度θは最大値θMAXである。軸線の周りの角度θの変化、及び一次空気流がノズル１６から噴出されるスロットの円形形状に照らして、内部通路８８の断面プロフィールは、軸線Ｘの周りで変化して軸線Ｘの周りの内部通路８８の断面積を一定に維持するようになっている。
【００４６】
ノズル１６の１つ又はそれ以上のパラメータは、軸線Ｘの周りで変化して、軸線Ｘの周りの内部通路８８の断面積を一定に維持することができる。図３及び図７に示すように、軸線Ｘに沿うノズル１６の奥行きは、角度θの関数として変化することができる。角度θが最小値θMINである平面Ｐ１において、軸線Ｘに沿うノズルの奥行きは、最大値ＤMAXであるが、一方で、角度θが最大値θMAXである平面Ｐ２において、軸線Ｘに沿うノズルの奥行きは、最大値ＤMINである。従って、ノズル１６の奥行きは、同様にノズル１６の周りにおいて、２つの最大値ＤMAXと２つの最小値ＤMINとの間で変化する。最大値ＤMAXは軸線Ｘの周りで約１８０度離れ、最小値ＤMINは同様に軸線Ｘの周りで約１８０度離れており、最大値ＤMAXは各最小値ＤMINの間の中ほどに設定される。また、ノズル１６の奥行きは軸線Ｘの周りで連続的に変動する。本実施例において、ＤMAXはＤMINの少なくとも１．２５倍よりも大きく、好ましくは、ＤMINの少なくとも１．５倍よりも大きい。本実施例において、ＤMINは約８５ｍｍであり、ＤMAXは約１３０ｍｍである。
【００４７】
ノズル１６の前端部８６と軸線Ｘとの間の半径方向距離Ｒは、軸線Ｘの回りで変化することができる。本実施例において、半径方向距離Ｒは、角度θが最小値の場合の最小値ＲMINと角度θが最大値の場合の最大値ＲMAXとの間で、角度θの関数として変化する。
【００４８】
軸線Ｘを通りかつこれと平行な平面で測定したノズル１６の半径方向厚さの最大値は、軸線Ｘの周りで変化することができる。本実施例において、最大の半径方向厚さは、角度θが最小値の場合の最小値ＴMINと角度θが最大値の場合の最大値ＴMAXとの間で、角度の関数として変化する。
【００４９】
送風機組立体１０の作動に際し、ユーザはユーザインタフェースのボタン２４を押圧する。ユーザインタフェース制御回路３０は、この操作を主制御回路３４へ伝え、これに応答して、主制御回路３４は、モータ４４を駆動してインペラ４０を回転させる。インペラ４０の回転は、空気入口１４を通って本体１２内へ引き込まれる一次空気流を引き起こす。ユーザは、ユーザインタフェースのダイアル２８を操作することにより、モータ４４の速度、従って空気入口１４を通って本体１２内へ引き込まれる空気の割合を制御することができる。インペラ４０が発生する一次空気流は、モータ４４の速度に応じて、毎秒１０リットルと３０リットルの間とすることができる。一次空気流は、順にインペラハウジング５２及び主本体セクション２０の開放上端の空気出口２３を通過して、ノズル１６の内部通路８８に入る。本体１２の空気出口２３の一次空気流の圧力は、少なくとも１５０Ｐａとすることができ、好ましくは、３５０Ｐａから１．５ｋＰａの範囲とすることができる。
【００５０】
ノズル１６の内部通路８８内で、一次空気流は、ノズル１６の開口部７０の周りを反対方向に流れる２つの空気ストリームに分流される。空気ストリームが内部通路８８を通る際に、空気は、口部１８から噴出される。口部１８から噴出される一次空気流は、ノズル１６のコアンダ面７２の上に向けられ、外部環境からの、特に口部１８の周りの領域からの及びノズル１６の後部の周りからの空気の同伴することにより、二次空気流が発生する。二次空気流は、ノズル１６の中心開口部７０を通って流れ、そこで、二次空気流は一次空気流と合体して、ノズル１６から前方へ噴出される合体空気流又は空気の流れを生成する。
【００５１】
前述の軸線Ｘの回りの角度θの変化により、送風機組立体が発生する空気流のプロフィールは非円形である。このプロフィールは略長円形であり、プロフィールの高さは、プロフィールの幅よりも小さい。この空気流プロフィールを平らにすること又は広くすることにより、送風機組立体１０は、部屋、オフィス、又は他の環境で、冷却用空気流を送風機組立体１０の近くの多数のユーザへ同時に送る机上型送風機として好適に使用される。代替的に、θの最大値θMAXをコアンダ面７２の上端及び下端、又はその近くに配置することにより、空気流プロフィールの高さをプロフィールの幅よりも大きくすることができる。空気流を垂直方向に引き伸ばすことにより、送風機組立体は、タワー型又は台座型送風機として好適に使用できる。
【図１】
0005588565.tif 000002
【図２】
0005588565.tif 000003
【図３】
0005588565.tif 000004
【図４】
0005588565.tif 000005
【図５】
0005588565.tif 000006
【図６】
0005588565.tif 000007
【図７】
0005588565.tif 000008